(57)【要約】【課題】走行時に後方車両の接近を容易に確認することができ、右左折時等において車両周辺の歩行者や自転車等の接近の有無や程度の把握を確実に行うことができる車両用後側方画像表示装置を提供すること。【解決手段】車両用後側方画像表示装置１は、車両の後側方を撮像する左カメラ１０Ｌ、右カメラ１０Ｒと、車両の一部を含む第１の撮像範囲に対応する画像からなる第１の後側方画像を生成する左画像生成部３０Ｌ、右画像生成部３０Ｒと、車両の一部を含む第２の撮像範囲に対応する画像を圧縮した第２の後側方画像と、車両から離れる方向に第２の撮像範囲と連続した第３の撮像範囲に対応する画像からなる周辺画像とを生成する左画像生成部３２Ｌ、右画像生成部３２Ｒと、第１の後側方画像と第２の後側方画像・周辺画像のいずれかを表示対象として所定のタイミングで切り替える切替タイミング判定部４０と、左表示部６０Ｌ、右表示部６０Ｒとを備えている。【選択図】図１
2019121913.tif 000002
【特許請求の範囲】
【請求項１】
車両の後側方を撮像する撮像手段と、
前記撮像手段によって撮像された画像に基づいて、前記車両の一部を含む第１の撮像範囲に対応する画像からなる第１の後側方画像を生成する第１の画像生成手段と、
前記撮像手段によって撮像された画像に基づいて、前記車両の一部を含む第２の撮像範囲に対応する画像を圧縮した第２の後側方画像と、前記車両から離れる方向に前記第２の撮像範囲と連続した第３の撮像範囲に対応する画像からなる周辺画像とを生成する第２の画像生成手段と、
前記第１の画像生成手段によって生成された前記第１の後側方画像と、前記第２の画像生成手段によって生成された前記第２の後側方画像および前記周辺画像と、のいずれかを表示対象として、所定のタイミングで切り替える切替タイミング判定手段と、
前記切替タイミング判定手段によって切替対象とされた画像を表示する表示手段と、
を備えることを特徴とする車両用後側方画像表示装置。
【請求項２】
前記切替タイミング判定手段は、方向指示器が操作されたタイミングで、表示対象を、前記第１の後側方画像から前記第２の後側方画像および前記周辺画像に切り替えることを特徴とする請求項１に記載の車両用後側方画像表示装置。
【請求項３】
前記切替タイミング判定手段は、操舵角が所定値以上になったタイミングで、表示対象を、前記第１の後側方画像から前記第２の後側方画像および前記周辺画像に切り替えることを特徴とする請求項１または２に記載の車両用後側方画像表示装置。
【請求項４】
前記第２の画像生成手段は、路肩あるいは路側帯を区分する白線がある場合にこの白線を抽出し、この白線を境界として前記第２の後側方画像と前記周辺画像とを生成することを特徴とする請求項１〜３のいずれか一項に記載の車両用後側方画像表示装置。
【請求項５】
前記第２の画像生成手段は、歩道がある場合に、道路側の前記歩道の端部を抽出し、この端部を境界として前記第２の後側方画像と前記周辺画像とを生成することを特徴とする請求項４に記載の車両用後側方画像表示装置。
【請求項６】
前記第３の撮像範囲に含まれる第１の障害物を検出する第１の障害物検出手段をさらに備え、
前記切替タイミング判定手段は、前記第１の後側方画像から前記第２の後側方画像および前記周辺画像に切り替えるタイミングであって、前記第１の障害物検出手段によって前記第１の障害物が検出されたときに、表示対象の切り替えを行うことを特徴とする請求項１〜５のいずれか一項に記載の車両用後側方画像表示装置。
【請求項７】
前記第２の撮像範囲に含まれる第２の障害物を検出する第２の障害物検出手段をさらに備え、
前記第２の画像生成手段は、前記第２の障害物検出手段によって前記第２の障害物が検出されたときに、前記第２の後側方画像を低い圧縮率にあるいは非圧縮に変更することを特徴とする請求項１〜６のいずれか一項に記載の車両用後側方画像表示装置。
【発明の詳細な説明】
【技術分野】
【０００１】
本発明は、車両に搭載されて後側方を撮像して表示する車両用後側方画像表示装置に関する。
【背景技術】
【０００２】
従来から、車両のサイドドアに取り付けられた後側方カメラで車両後側方を撮影し、得られた画像から一部の画像を切り出した部分画像と、切り出した部分画像の外側（車両から離れる向き）の一部に対応する周囲画像を撮像画像から切り出してサイズを部分画像より圧縮した圧縮画像とを合成して視認用画像を生成し、モニタに表示するようにした車両用視認装置が知られている（例えば、特許文献１参照。）。
【先行技術文献】
【特許文献】
【０００３】
【特許文献１】特開２０１７−７３７３３号公報
【発明の概要】
【発明が解決しようとする課題】
【０００４】
ところで、上述した特許文献１に開示された車両用視認装置では、部分画像の外側に、主に車両の側方の撮像範囲に対応する圧縮画像が表示されるが、この圧縮画像の車両の走行とともに後ろ側に移動する道路周辺の構造物等が含まれるため、走行時に運転者が特に注意しなければならない後方車両が目立たなくなるという問題があった。また、例えば交差点を左折時に歩道から交差点内に進入しようとしている歩行者や自転車については、圧縮画像で確認することになるため、接近の有無や程度が把握しにくいという問題があった。
【０００５】
本発明は、このような点に鑑みて創作されたものであり、その目的は、走行時に後方車両の接近を容易に確認することができ、右左折時等において車両周辺の歩行者や自転車等の接近の有無や程度の把握を確実に行うことができる車両用後側方画像表示装置を提供することにある。
【課題を解決するための手段】
【０００６】
上述した課題を解決するために、本発明の車両用後側方画像表示装置は、車両の後側方を撮像する撮像手段と、撮像手段によって撮像された画像に基づいて、車両の一部を含む第１の撮像範囲に対応する画像からなる第１の後側方画像を生成する第１の画像生成手段と、撮像手段によって撮像された画像に基づいて、車両の一部を含む第２の撮像範囲に対応する画像を圧縮した第２の後側方画像と、車両から離れる方向に第２の撮像範囲と連続した第３の撮像範囲に対応する画像からなる周辺画像とを生成する第２の画像生成手段と、第１の画像生成手段によって生成された第１の後側方画像と、第２の画像生成手段によって生成された第２の後側方画像および周辺画像と、のいずれかを表示対象として、所定のタイミングで切り替える切替タイミング判定手段と、切替タイミング判定手段によって切替対象とされた画像を表示する表示手段とを備えている。
【０００７】
これにより、走行時に後側方画像のみが表示され、周辺画像が非表示になるため、後側方画像に含まれる後方車両が目立つようになり、後方車両の接近を容易に確認することが可能となる。また、右左折時等に車両近傍の画像を圧縮した上で周辺画像が含まれるように表示を行うことにより、車両周辺の歩行者や自転車等の接近の有無や程度の把握を確実に行うことが可能となる。
【０００８】
また、上述した切替タイミング判定手段は、方向指示器が操作されたタイミングで、表示対象を、第１の後側方画像から第２の後側方画像および周辺画像に切り替えることが望ましい。方向指示器が操作されたときに非圧縮の周辺画像を表示するため、進路変更方向の歩道上の歩行者、自転車、隣接走行車線の後続車両などの接近の有無や程度の把握を確実に行うことができる。
【０００９】
また、上述した切替タイミング判定手段は、操舵角が所定値以上になったタイミングで、表示対象を、第１の後側方画像から第２の後側方画像および周辺画像に切り替えることが望ましい。右左折時に操舵角が大きくなったときに非圧縮の周辺画像を表示するため、交差点を左折時に歩道から交差点内に進入しようとしている歩行者や自転車等の接近の有無や程度の把握を確実に行うことができる。
【００１０】
また、上述した第２の画像生成手段は、路肩あるいは路側帯を区分する白線がある場合にこの白線を抽出し、この白線を境界として第２の後側方画像と周辺画像とを生成することが望ましい。あるいは、上述した第２の画像生成手段は、歩道がある場合に、道路側の歩道の端部を抽出し、この端部を境界として第２の後側方画像と周辺画像とを生成することが望ましい。これにより、ドアミラーによって見ることができな車両周辺の画像を確実かつ分かりやすく表示することが可能となる。
【００１１】
また、上述した第３の撮像範囲に含まれる第１の障害物を検出する第１の障害物検出手段をさらに備え、切替タイミング判定手段は、第１の後側方画像から第２の後側方画像および周辺画像に切り替えるタイミングであって、第１の障害物検出手段によって第１の障害物が検出されたときに、表示対象の切り替えを行うことが望ましい。これにより、周辺画像に歩行者や自転車等の障害物が含まれる場合に限って周辺画像が表示されるため、障害物がない場合には圧縮されない後側方画像を表示することが可能となる。
【００１２】
また、上述した第２の撮像範囲に含まれる第２の障害物を検出する第２の障害物検出手段をさらに備え、第２の画像生成手段は、第２の障害物検出手段によって第２の障害物が検出されたときに、第２の後側方画像を低い圧縮率にあるいは非圧縮に変更することが望ましい。これにより、車両に近い位置で自転車や二輪車等の障害物が接近してきた場合には低圧縮あるいは非圧縮の後側方画像を表示することで、これらの障害物の接近の有無や程度の認識が容易となる。
【図面の簡単な説明】
【００１３】
【図１】一実施形態の車両用後側方画像表示装置の構成を示す図である。
【図２】２つの画像生成部によって生成される画像と撮像範囲との関係を示す図である。
【図３】右左折時等に表示対象の画像を切り替える車両用後側方画像表示装置の動作手順を示す流れ図である。
【図４】方向指示器の操作の有無に応じて切り替わる表示内容の具体例を示す図である。
【発明を実施するための形態】
【００１４】
以下、本発明を適用した一実施形態の車両用後側方画像表示装置について、図面を参照しながら説明する。
【００１５】
図１は、一実施形態の車両用後側方画像表示装置の構成を示す図である。図１に示すように、本実施形態の車両用後側方画像表示装置１は、左カメラ１０Ｌ、右カメラ１０Ｒ、左画像格納部２０Ｌ、右画像格納部２０Ｒ、左画像生成部３０Ｌ、３２Ｌ、右画像生成部３０Ｒ、３２Ｒ、切替タイミング判定部４０、周辺障害物検出部４２、後方障害物検出部４４、左画像切替部５０Ｌ、右画像切替部５０Ｒ、左表示部６０Ｌ、右表示部６０Ｒを備えている。
【００１６】
左カメラ１０Ｌは、物理的な左側のドアミラーが備わっていると仮定したときに、車両の運転者から見てこのドアミラーに映る領域が撮像範囲に含まれるように車両左側の後側方を撮像する。右カメラ１０Ｒは、物理的な右側のドアミラーが備わっていると仮定したときに、車両の運転者から見てこのドアミラーに映る領域が撮像範囲に含まれるように車両右側の後側方を撮像する。なお、本実施形態の車両には左右のドアミラーは備わっておらず、代わりに、左カメラ１０Ｌと右カメラ１０Ｒの撮像によって得られた画像が表示される。
【００１７】
左カメラ１０Ｌによる撮像によって得られた画像は左画像格納部２０Ｌに格納される。また、右カメラ１０Ｒによる撮像によって得られた画像は右画像格納部２０Ｒに格納される。
【００１８】
左画像生成部３０Ｌ、３２Ｌは、左カメラ１０Ｌで撮像されて左画像格納部２０Ｌに格納された画像（左画像）に基づいて表示用の２種類の画像を生成する。一方の左画像生成部３０Ｌは、左画像に基づいて、自車両の一部を含む第１の左側撮像範囲（第１の撮像範囲に対応する）に対応する画像からなる非圧縮（画像が横方向あるいは縦方向に圧縮されていない）の第１の左後側方画像を生成する。この第１の左側撮像範囲は、長方形形状あるいは正方形形状を有する物理的な左側のドアミラーに映る領域を想定しており、この第１の左後側方画像を表示することにより、左側のドアミラーを通して車両の左後側方を見た場合と同様の後方確認を行うことが可能となる。
【００１９】
また、他方の左画像生成部３２Ｌは、左画像に基づいて、車両の一部を含む第２の左側撮像範囲（第２の撮像範囲に対応する）に対応する画像を圧縮した第２の左後側方画像と、車両から離れる方向に第２の左側撮像範囲と連続した撮像範囲（左側周辺撮像範囲、第３の撮像範囲に対応する）に対応する画像からなる非圧縮の左側周辺画像とを生成する。第２の左側撮像範囲と左側周辺撮像範囲を合わせた範囲が、上述した第１の左側撮像範囲よりも横方向に広い範囲をカバーするようになっている。
【００２０】
図２は、２つの画像生成部３０Ｌ、３２Ｌによって生成される画像と撮像範囲との関係を示す図である。図２において、Ｌ１は画像生成部３０Ｌによって生成される第１の左後側方画像に対応する第１の左側撮像範囲を、Ｌ２は画像生成部３２Ｌによって生成される第２の左後側方画像に対応する第２の左側撮像範囲を、Ｌ３は画像生成部３２Ｌによって生成される左側周辺画像に対応する左側周辺撮像範囲をそれぞれ示している。図２に示すように、Ｌ２＋Ｌ３＞Ｌ１の関係を有する。
【００２１】
同様に、右画像生成部３０Ｒ、３２Ｒは、右カメラ１０Ｒで撮像されて右画像格納部２０Ｒに格納された画像（右画像）に基づいて表示用の２種類の画像を生成する。一方の右画像生成部３０Ｒは、右画像に基づいて、自車両の一部を含む第１の右側撮像範囲（第１の撮像範囲に対応する）に対応する画像からなる非圧縮の第１の右後側方画像を生成する。この第１の右側撮像範囲は、長方形形状あるいは正方形形状を有する物理的な右側のドアミラーに映る領域を想定しており、この第１の右後側方画像を表示することにより、右側のドアミラーを通して車両の右後側方を見た場合と同様の後方確認を行うことが可能となる。
【００２２】
また、他方の右画像生成部３２Ｒは、右画像に基づいて、車両の一部を含む第２の右側撮像範囲（第２の撮像範囲に対応する）に対応する画像を圧縮した第２の右後側方画像と、車両から離れる方向に第２の右側撮像範囲と連続した撮像範囲（右側周辺撮像範囲、第３の撮像範囲に対応する）に対応する画像からなる非圧縮の右側周辺画像とを生成する。第２の右側撮像範囲と右側周辺撮像範囲を合わせた範囲が、上述した第１の右側撮像範囲よりも横方向に広い範囲をカバーするようになっている。
【００２３】
切替タイミング判定部４０は、表示対象を、左画像生成部３０Ｌ、右画像生成部３０Ｒによって生成された画像から、左画像生成部３２Ｌ、右画像生成部３２Ｒによって生成された画像に切り替えるタイミングを判定する。例えば、方向指示器（ウィンカー）の動作状態を示すウインカー信号や操舵角を示す操舵角信号が入力されており、切替タイミング判定部４０は、左右いずれかの方向指示器が操作されたことを示すウィンカー信号が入力されたときに、および／または、操舵角が所定値以上になったことを操舵角信号に基づいて検出したときに、表示対象を切り替えるタイミングであると判定する。なお、方向指示器が操作され、かつ、操舵角が所定値以上になった場合に、画像を切り替えるタイミングであると判定するようにしてもよい。
【００２４】
周辺障害物検出部４２は、上述した左側周辺撮像範囲および右側周辺撮像範囲に含まれる第１の障害物を検出する。例えば、左側周辺撮像範囲に含まれる第１の障害物としては、歩行者、自転車などが考えられる。また、右側周辺撮像範囲に含まれる第１の障害物としては、歩行者、自転車、二輪車や乗用車（交差点やＴ字路を左折時に右方向から接近する車両）などが考えられる。
【００２５】
後方障害物検出部４４は、上述した第２の左側撮像範囲あるいは第２の右側撮像範囲に含まれる第２の障害物を検出する。例えば、第２の障害物としては、車両後方から接近する自転車や二輪車などが考えられる。
【００２６】
左画像切替部５０Ｌは、切替タイミング判定部４０によって表示対象を切り替えるタイミングである旨の判定が行われたときに、左画像生成部３０Ｌによって生成された第１の左後側方画像から、左画像生成部３２Ｌによって生成された第２の左後側方画像および左側周辺画像に表示対象を切り替える。切り替えられた表示対象の画像は左表示部６０Ｌに入力される。
【００２７】
同様に、右画像切替部５０Ｒは、切替タイミング判定部４０によって表示対象を切り替えるタイミングである旨の判定が行われたときに、右画像生成部３０Ｒによって生成された第１の右後側方画像から、右画像生成部３２Ｒによって生成された第２の右後側方画像および右側周辺画像に表示対象を切り替える。切り替えられた表示対象の画像は右表示部６０Ｒに入力される。
【００２８】
左表示部６０Ｌは、左カメラ１０Ｌによって撮像された画像に基づいて生成されて左画像切替部５０Ｌを介して入力される画像を表示する。右表示部６０Ｌは、左カメラ１０Ｌによって撮像された画像に基づいて生成されて左画像切替部５０Ｌを介して入力される画像を表示する。例えば、左表示部６０Ｌ、右表示部６０Ｌは液晶表示装置によって構成されており、左表示部６０Ｌがダッシュボードの左側端部近傍に配置され、右表示部６０Ｒがダッシュボードの右側端部近傍に配置されている。
【００２９】
上述した左カメラ１０Ｌ、右カメラ１０Ｒが撮像手段に、左画像生成部３０Ｌ、右画像生成部３０Ｒが第１の画像生成手段に、左画像生成部３２Ｌ、右画像生成部３２Ｒが第２の画像生成手段に、切替タイミング判定部４０、左画像切替部５０Ｌ、右画像切替部５０Ｒが切替タイミング判定手段に、左表示部６０Ｌ、右表示部６０Ｒが表示手段にそれぞれ対応する。
【００３０】
本実施形態の車両用後側方画像表示装置１はこのような構成を有しており、次に、その動作を説明する。
【００３１】
図３は、右左折時等に表示対象の画像を切り替える車両用後側方画像表示装置の動作手順を示す流れ図である。この動作手順は、所定の時間間隔（例えば、１秒間に３０回の間隔）で繰り返される。
【００３２】
まず、左カメラ１０Ｌと右カメラ１０Ｒによってそれぞれの撮像範囲について車両の後側方を撮像する（ステップ１００）。左カメラ１０Ｌの撮像範囲は、図２に示した第２の左側撮像範囲Ｌ２と左側周辺撮像範囲Ｌ３を合わせた範囲、あるいはこの合わせた範囲よりも広い範囲である。右カメラ１０Ｒについても同様であり、右カメラ１０Ｒの撮像範囲は、第２の右側撮像範囲と右側周辺撮像範囲を合わせた範囲、あるいはこの合わせた範囲よりも広い範囲である。左カメラ１０Ｌによって撮像された画像は左画像格納部２０Ｌに格納される。また、右カメラ１０Ｒによって撮像された画像は右画像格納部２０Ｒに格納される。
【００３３】
次に、左画像生成部３０Ｌは、左画像格納部２０Ｌに格納された左画像に基づいて、自車両の一部が含まれる第１の左側撮像範囲Ｌ１（図２）に対応する非圧縮の第１の左後側方画像を生成する。右画像生成部３０Ｒは、右画像格納部２０Ｒに格納された右画像に基づいて、自車両の一部が含まれる第１の右側撮像範囲に対応する非圧縮の第１の右後側方画像を生成する（ステップ１０２）。
【００３４】
次に、あるいは、ステップ１０２の動作と並行して、左画像生成部３２Ｌは、左画像格納部２０Ｌに格納された左画像に基づいて、車両の一部が含まれる第２の左側撮像範囲Ｌ２に対応する画像を圧縮した第２の左後側方画像と、車両から離れる方向に第２の左側撮像範囲と連続した左側周辺撮像範囲Ｌ３に対応する画像からなる非圧縮の左側周辺画像とを生成する。右画像生成部３２Ｒは、右画像格納部２０Ｒに格納された右画像に基づいて、車両の一部が含まれる第２の右側撮像範囲に対応する画像を圧縮した第２の右後側方画像と、車両から離れる方向に第２の右側撮像範囲と連続した右側周辺撮像範囲に対応する画像からなる非圧縮の右側周辺画像とを生成する（ステップ１０４）。
【００３５】
次に、切替タイミング判定部４０は、表示対象を切り替えるタイミングか否かを判定する（ステップ１０６）。上述したように、この判定は、ウィンカー信号および操舵角信号の少なくとも一方に基づいて行う場合が考えられる。
【００３６】
例えば、方向指示器の動作状態に応じてこの判定を行うものとすると、方向指示器が操作されない場合には否定判断が行われる。この場合には、切替タイミング判定部４０から切替指示は出力されず、左画像切替部５０Ｌは左画像生成部３０Ｌによって生成された第１の左後側方画像を選択し、右画像切替部５０Ｒは右画像生成部３０Ｒによって生成された第１の右後側方画像を選択する（ステップ１０８）。次に、左表示部６０Ｌは、左画像切替部５０Ｌによって選択された第１の左後側方画像を表示し、右表示部６０Ｒは、右画像切替部５０Ｒによって選択された第１の右後側方画像を表示する（ステップ１１０）。このようにして、方向指示器が操作されない状態等（例えば、方向指示器が操作されずに車両が直進走行している場合）には、物理的な左右のドアミラーに映し出されるような左右の後側方画像が左表示部６０Ｌと右表示部６０Ｒに表示される。
【００３７】
また、方向指示器が操作されると、ステップ１０６の判定において肯定判断が行われる。この場合には、切替タイミング判定部４０から切替指示が出力され、左画像切替部５０Ｌは左画像生成部３２Ｌによって生成された第２の左後側方画像と左側周辺画像を選択し、右画像切替部５０Ｒは右画像生成部３２Ｒによって生成された第２の右後側方画像と右側周辺画像を選択する（ステップ１１２）。次に、左表示部６０Ｌは、左画像切替部５０Ｌによって選択された第２の左後側方画像と左側周辺画像を表示し、右表示部６０Ｒは、右画像切替部５０Ｒによって選択された第２の右後側方画像と右側周辺画像を表示する（ステップ１１４）。このようにして、方向指示器が操作された状態等（例えば、交差点を右左折する場合や車線変更する場合）には、物理的な左右のドアミラーに映し出されるような左右の後側方画像よりも広い範囲の左側周辺画像と右側周辺画像が含まれるように左表示部６０Ｌと右表示部６０Ｒにおける表示が行われる。
【００３８】
図４は、方向指示器の操作の有無に応じて切り替わる表示内容の具体例を示す図である。図４（Ａ）には左カメラ１０Ｌによる撮像によって得られた左画像が、図４（Ｂ）には方向指示器が操作されない場合に左表示部６０Ｌに表示される第１の左後側方画像が、図４（Ｃ）には方向指示器が操作された場合に左表示部６０Ｌに表示される第２の左後側方画像と左側周辺画像が示されている。
【００３９】
方向指示器が操作されない場合には、図４（Ｂ）に示すように、第１の左側撮像範囲Ｌ１（図２）に対応する非圧縮の第１の左後側方画像が左表示部６０Ｌに表示される。これに対し、方向指示器が操作された場合には、図４（Ｃ）に示すように、第２の左側撮像範囲Ｌ２（図２）に対応する画像を圧縮した第２の左後後方画像と、左側周辺撮像範囲Ｌ３（図２）に対応する非圧縮の左側周辺画像とが隣接するように左表示部６０Ｌに表示される。
【００４０】
ところで、上述した第２の左側撮像範囲Ｌ２と左側周辺撮像範囲Ｌ３の境界の設定方法としてはいくつかの場合が考えられる。
【００４１】
例えば、撮像範囲に路肩あるいは路側帯を区分する白線がある場合にこの白線を抽出し、この白線を上述した境界とする場合である。図４（Ｃ）ではこの境界が用いられている。なお、実際には、この白線は湾曲しているため、自車両に最も近い白線の端部や画像に含まれる白線の上端あるいは下端を通る垂直線を境界とすることが考えられる。
【００４２】
あるいは、歩道がある場合に、道路側の歩道の端部を抽出し、この端部を境界とする場合である。なお、実際には、白線と同様に歩道の端部も湾曲しているため、自車両に最も近い歩道の端部や画像に含まれる歩道端部の上端あるいは下端を通る垂直線を境界とすることが考えられる。
【００４３】
このように、本実施形態の車両用後側方画像表示装置１では、走行時に後側方画像のみが表示され（図４（Ｂ））、周辺画像が非表示になるため、後側方画像に含まれる後方車両が目立つようになり、後方車両の接近を容易に確認することが可能となる。また、右左折時等に車両近傍の画像を圧縮した上で周辺画像が含まれるように表示を行うことにより（図４（Ｃ））、車両周辺の歩行者や自転車等の接近の有無や程度の把握を確実に行うことが可能となる。
【００４４】
また、方向指示器が操作されたときに非圧縮の周辺画像を表示するため（図４（Ｃ））、進路変更方向の歩道上の歩行者、自転車、隣接走行車線の後続車両などの接近の有無や程度の把握を確実に行うことができる。
【００４５】
また、右左折時に操舵角が大きくなったときに非圧縮の周辺画像を表示するため（図４（Ｃ））、交差点を左折時に歩道から交差点内に進入しようとしている歩行者や自転車等の接近の有無や程度の把握を確実に行うことができる。
【００４６】
なお、本発明は上記実施形態に限定されるものではなく、本発明の要旨の範囲内において種々の変形実施が可能である。例えば、上述した実施形態では、切替タイミング判定部４０は、左右いずれかの方向指示器が操作されたことを示すウィンカー信号が入力されたときに、および／または、操舵角が所定値以上になったことを操舵角信号に基づいて検出したときに、表示対象を切り替えるタイミングであると判定したが、この判定条件に代えて、あるいはこの判定条件に加えて他の判定条件を考慮するようにしてもよい。
【００４７】
具体的には、切替タイミング判定部４０は、上記の判定条件を満たす場合であって、周辺障害物検出部４２（第１の障害物検出手段に対応する）によって障害物（第１の障害物）が検出されたときに、表示対象の切り替え（図３のステップ１０６の判定において肯定判断）を行うようにしてもよい。これにより、周辺画像に歩行者や自転車等の障害物が含まれる場合に限って周辺画像が表示されるため、障害物がない場合には圧縮されない後側方画像を表示することが可能となる。
【００４８】
また、後方障害物検出部４４（第２の障害物検出手段に対応する）によって、後方から自車両に接近する第２の障害物を検出したときに、左画像生成部３２Ｌによって生成される第２の左後側方画像や右画像生成部３２Ｒによって生成される第２の右後側方画像の圧縮率を下げたり、非圧縮とするようにしてもよい。車両に近い領域で自転車や二輪車等の障害物が接近してきた場合には低圧縮あるいは非圧縮の後側方画像を表示することで、これらの障害物の接近の有無や程度の認識が容易となる。
【産業上の利用可能性】
【００４９】
上述したように、本発明によれば、走行時に後側方画像のみが表示され、周辺画像が非表示になるため、後側方画像に含まれる後方車両が目立つようになり、後方車両の接近を容易に確認することが可能となる。また、右左折時等に車両近傍の画像を圧縮した上で周辺画像が含まれるように表示を行うことにより、車両周辺の歩行者や自転車等の接近の有無や程度の把握を確実に行うことが可能となる。
【符号の説明】
【００５０】
１  車両用後側方画像表示装置
１０Ｌ  左カメラ
１０Ｒ  右カメラ
２０Ｌ  左画像格納部
２０Ｒ  右画像格納部
３０Ｌ、３２Ｌ  左画像生成部
３０Ｒ、３２Ｒ  右画像生成部
４０  切替タイミング判定部
４２  周辺障害物検出部
４４  後方障害物検出部
５０Ｌ  左画像切替部
５０Ｒ  右画像切替部
６０Ｌ  左表示部
６０Ｒ  右表示部
【図１】
2019121913.tif 000003
【図２】
2019121913.tif 000004
【図３】
2019121913.tif 000005
【図４】
2019121913.tif 000006